(57)【要約】【課題】厚さの異なる試薬ボトル１でも、複数を単位に管理できると共に、複数種類の試薬ボトルを１つの試薬置場８に設置できるボルトホルダを提供する。【解決手段】横断面が矩形のチャンバ２を有する試薬ボトル１を、厚さ方向に複数個収容可能な収容空間と、該収容空間を、略試薬ボトル１の厚さ間隔で仕切る仕切板４とを備えていると共に、分注器の所定位置に装着可能なボトルホルダ３とする。【選択図】図１
2007198897.tif 000002
【特許請求の範囲】
【請求項１】
横断面が矩形のチャンバを有する試薬ボトルを、厚さ方向に複数個収容可能な収容空間と、
該収容空間を、略試薬ボトルの厚さ間隔で仕切る仕切板とを備えていると共に、分注器の所定位置に装着可能であることを特徴とするボトルホルダ。
【請求項２】
前記仕切板が、厚さが異なる試薬ボトルに合わせて、前記収容空間の仕切り位置を変更可能になっていることを特徴とする請求項１に記載のボトルホルダ。
【請求項３】
請求項１に記載のボトルホルダを複数個搭載する搭載部を有し、該搭載部にボトルホルダを搭載して前記分注器の所定位置に装着可能であることを特徴とするトレイ。
【発明の詳細な説明】
【技術分野】
【０００１】
本発明は、自動分注器に設置されている試薬置場に試薬ボトルを設置する際に適用して好適なボトルホルダ及びそれを搭載するトレイに関する。
【背景技術】
【０００２】
従来、自動分注器では、例えば特許文献１に開示されているように、ピペットのノズルが挿入できるように上部が開口した形状の試薬ボトルが知られている。この種の試薬ボトルに対しては、一般に作業者により１つずつ装置の所定位置（試薬置場）に設置する方法が採られている。
【０００３】
又、自動分注器では、目的に応じて異なる試薬ボトルが使用される。例えば、使用量の少ない試薬を使用する場合には、厚さが薄い又は底が浅い試薬ボトルが必要であり、攪拌の必要な試薬を使用する場合は磁気攪拌措置用の攪拌子を用いるために、攪拌子が入るような厚さが大きい試薬ボトルが使用されることになる。
【０００４】
このような多品種の試薬を扱うためには、複数種類の試薬ボトルを予め所定位置の試薬置場に設置しておくことが必要となるが、自動分注器の試薬置場は、１種類の試薬ボトルにしか対応していないのが一般的である。
【０００５】
【特許文献１】特開平１１−２６４８２７号公報
【発明の開示】
【発明が解決しようとする課題】
【０００６】
しかしながら、前述したように自動分注器において、１回の分注作業の中で複数種類の試薬を使用する場合や、１種類の試薬を多量に使用する場合には、複数の試薬ボトルを使用することが必要となることから、試薬ボトルの個数分の設置作業が発生すると共に、試薬ボトルの種類毎に試薬置場が必要になるため、１台の自動分注器では対応できないという問題があった。
【０００７】
本発明は、前記従来の問題点を解決するべくなされたもので、厚さが異なる試薬ボトルでも、複数個を単位に収容し管理できると共に、容量が異なる複数種類の試薬ボトルを１つの試薬置場に設置することができるボトルホルダを提供することを第１の課題とする。
【０００８】
本発明は、又、複数種類の試薬ボトルを複数個を単位に試薬置場に装着する際に使用すると有効なトレイを提供することを第２の課題とする。
【課題を解決するための手段】
【０００９】
第１発明は、横断面が矩形のチャンバを有する試薬ボトルを、厚さ方向に複数個収容可能な収容空間と、該収容空間を、略試薬ボトルの厚さ間隔で仕切る仕切板とを備えていると共に、分注器の所定位置に装着可能になっているようにしたことにより、前記第１の課題を解決したものである。
【００１０】
この場合は、前記仕切板が、厚さが異なる試薬ボトルに合わせて、前記収容空間の仕切り位置を変更可能になっているようにしてもよい。
【００１１】
第２発明は、前記のボトルホルダを複数個搭載する搭載部を有し、該搭載部にボトルホルダを搭載して前記分注器の所定位置に装着可能であるようにしたことにより、前記第２の課題を解決したものである。
【発明の効果】
【００１２】
第１発明によれば、複数の横断面が矩形の試薬ボトルをボトルホルダに収容することができると共に、これを単位とする複数のボルトホルダを分注器に装着することができる。そのため、１台の分注器において複数種類の試薬の分注にも応えることが可能となる。
【００１３】
第２発明によれば、複数個の上記ボトルホルダを１つのトレイに搭載可能であることから、分注器への装着作業の効率を向上することが可能となる。
【発明を実施するための最良の形態】
【００１４】
以下、図面を参照して、本発明の実施の形態について詳細に説明する。
【００１５】
図１は、本発明に係る一実施形態のボトルホルダを、一部に収容されている試薬ボトルと共に示す斜視図、図２は１つの試薬ボトルを拡大して示す斜視図、図３は本発明に係る一実施形態のトレイを示す斜視図である。
【００１６】
試薬ボトル１は、試薬を充填するチャンバ２が、横断面が矩形の薄い箱形に形成されていると共に、その幅方向両端の外壁部に鍔部１Ａが形成されている。この試薬ボトル１の厚さは、使用量や機能（試薬攪拌用の攪拌子の使用が可能等）に合わせて設計されていると共に、図１のボトルホルダ３に同種類の試薬ボトル１を隙間無く並べられるように設計されている。
【００１７】
本実施形態のボトルホルダ３には、その上端部両側に外側に突出した鍔部３Ａが形成され、該鍔部３Ａに上記試薬ボトル１の鍔部１Ａを当接することにより、該鍔部１Ａより下方部分を収容することができる深さの収容空間が形成されている。
【００１８】
このボトルホルダ３には、４つの試薬ボトル１を、厚さ方向に隙間無く並べた状態で収容すると共に、転倒防止のために、上記収容空間を略該試薬ボトル１の厚さ間隔で仕切る仕切板４とを備えている。そして、このボトルホルダ３は、後述する図３のトレイ６を介して分注器に装着可能になっている。
【００１９】
上記仕切板４は、ボトルホルダ３の側壁の内側に設けられている縦溝（切欠）５に差し込み、挿入することにより試薬ボトル１の厚さに合った位置に固定されると共に、取り外しが可能になっている。
【００２０】
又、この仕切板４が、厚さが異なる試薬ボトル１に合わせて前記収容空間の仕切位置を変更することが可能になっている。即ち、前記縦溝５は、使用される異なる種類の試薬ボトル１の厚さに合せた間隔に設けられ、１つのボトルホルダ３で１種類の試薬ボトル１を隙間無く並べることができるようになっていると共に、このように隙間無く並べる収容パターンを複数種類の試薬ボトル１に対して採ることができるように異なる間隔の位置に設けられている。
【００２１】
又、ボトルホルダ３の底部には、鍔部３Ａ方向の両端部近傍を除き切り欠いた形状の抜き穴３Ｂが形成され、この抜き穴３Ｂから収容された試薬ボトル１の底部が露出するようになっている。
【００２２】
又、図３に示したトレイ６には、ボトルホルダ３を、鍔部３Ａより下方部分が収容された状態で、試薬ボトル１が厚さ方向に並ぶようにして、複数個搭載可能な長さの搭載部７が形成され、この例では５個のボトルホルダ３を搭載可能な長さに設けられている。従って、このトレイ６には、最大５種類の試薬ボトル１を搭載できることになる。
【００２３】
又、このトレイ６の底部には、長さ方向の左右にサイドガイド６Ａが取付けられ、この上に搭載されるボトルホルダ３の抜き穴３Ｂの両側に位置する底部が載置され、支持されるようになっている。図４には、トレイ６に、試薬ボトル１が収容されたボトルホルダ３が搭載された状態の縦断面を模式的に示す。
【００２４】
以上の構成により、図２に示されるように試薬ボトル１は、ボトルホルダ３内を仕切板４で仕切って形成した空間に挿入する形で収容保持され、左右、高さ方向の位置決めがされる。従って、ボトルホルダ３には１種類の試薬ボトル１を複数個まとまった単位で隙間無く設置することが可能となる。
【００２５】
又、試薬ボトル１の容量や機能により、ボトルホルダ３内の試薬ボトル１の個数が変化する場合は、仕切板４の挿入位置を変更することにより対応することが可能である。
【００２６】
このように、試薬ボトル１が複数個挿入されたボトルホルダ３は、図５に示すようにトレイ６に複数個搭載され、このトレイ６を図示しない分注器に設置されている試薬置場８にスライドさせて挿入することにより、所定位置に装着することができる。
【００２７】
以上詳述した本実施形態によれば、仕切板４の差込み位置を変えることができるボトルホルダ３を用いることにより、ボトルホルダ３を単位に試薬ボトル１の種類を変更することができることから、１つの試薬置場８の中で複数種類の試薬ボトル１を混在させて使用することが可能となる。
【００２８】
又、ボトルホルダ３をトレイ６に搭載して試薬置場８へ組み込む装着方法を採用することにより、複数個のボトルホルダ３を一括して試薬置場８へ装着することが可能となる。
【００２９】
更に、試薬ボトル１はボトルホルダ３に収容する形で設置できることに加えて、ボトルホルダ３毎の試薬ボトル１の管理が可能となり、該試薬ボトル１の移動、交換、順序入替え等が容易になるという効果もある。
【００３０】
なお、ボトルホルダ３は、トレイ６を使用せずに、試薬置場８に直接装着するようにしてもよいことはいうまでもない。
【図面の簡単な説明】
【００３１】
【図１】本発明に係る一実施形態のボトルホルダを試薬ボトルと共に示す斜視図
【図２】上記ボトルホルダに収容可能な試薬ボトルを拡大して示す斜視図
【図３】本発明に係る一実施形態のトレイを示す斜視図
【図４】トレイ、ボトルホルダ及び試薬ボトルの関係を模式的に示す縦断面図
【図５】トレイに搭載したボトルホルダを試薬置場に装着した状態を示す斜視図
【符号の説明】
【００３２】
１…試薬ボトル
２…チャンバ
３…ボトルホルダ
３Ｂ…抜き穴
４…仕切板
５…縦溝
６…トレイ
６Ａ…サイドガイド
７…搭載部
【図１】
2007198897.tif 000003
【図２】
2007198897.tif 000004
【図３】
2007198897.tif 000005
【図４】
2007198897.tif 000006
【図５】
2007198897.tif 000007